(57)【要約】【課題】遠赤外線放射効果と輻射及び保温効果が優れた遠赤外線放射衣料品を簡単かつ安価に製造する方法を提供することを目的とする。【解決手段】ゴム系接着剤にナノクレイ等の遠赤外線放射性鉱物微粒子とアルミニウム粉末等の熱輻射性金属粉末を含有させたプリント原料を衣料品にシルクスクリーン印刷等のプリント手段によりプリントする。より詳しくは、ゴム系接着剤に熱輻射性金属粉末を含有させた下地原料を衣料品にプリント手段によりプリントする工程と、ゴム系接着剤と遠赤外線放射性鉱物微粒子を含むプリント原料を前記下地原料プリント部の表面にプリント手段によりプリントする工程を有している。【選択図】なし【特許請求の範囲】
【請求項１】
遠赤外線放射性鉱物微粒子を含有したプリント部を有する衣料品の製造方法において、ゴム系接着剤に遠赤外線放射性鉱物微粒子と熱輻射性金属粉末を含有させたプリント原料を衣料品にプリント手段によりプリントすることを特徴とする遠赤外線放射衣料品の製造方法。
【請求項２】
遠赤外線放射性鉱物微粒子を含有したプリント部を有する衣料品の製造方法において、ゴム系接着剤に熱輻射性金属粉末を含有させた下地原料を衣料品にプリント手段によりプリントする工程と、
ゴム系接着剤と遠赤外線放射性鉱物微粒子を含むプリント原料を前記下地原料プリント部の表面にプリント手段によりプリントする工程、
を有することを特徴とする遠赤外線放射衣料品の製造方法。
【請求項３】
前記プリント原料のプリント部の表面に、カーボンを含有させたコーティング原料をプリント手段によりプリントすることを特徴とする請求項１又は請求項２に記載の遠赤外線放射衣料品の製造方法。
【請求項４】
前記遠赤外線放射性鉱物微粒子は、シリカ系鉱物質微粒子であることを特徴とする請求項１から請求項３のいずれか一項に記載の遠赤外線放射衣料品の製造方法。
【請求項５】
前記遠赤外線放射性鉱物微粒子は、礦石系鉱物質微粒子であることを特徴とする請求項１から請求項３のいずれか一項に記載の遠赤外線放射衣料品の製造方法。
【請求項６】
前記熱輻射性金属粉末は、アルミニウム粉末であることを特徴とする請求項１〜請求項５のいずれか一項に記載の遠赤外線放射衣料品の製造方法。
【請求項７】
前記プリント手段は、シルクスクリーン印刷であることを特徴とする請求項１〜請求項６のいずれか一項に記載の遠赤外線放射衣料品の製造方法。
【発明の詳細な説明】
【技術分野】
【０００１】
本発明は、肩こり、筋肉痛等に有効な遠赤外線を放射する衣料品の製造方法に関するものである。
【背景技術】
【０００２】
肩こり、筋肉痛等は、筋肉の内部に老廃物、炭酸ガス、活性酸素等が滞り、うっ血して血行不良を起こし、筋肉が硬直した状態である。また風邪等を引いたときには全身の気血の流れが悪くなり、体内の老廃物、毒素が充満して血行不良となる。このような状態をいち早く改善し、血行循環を良くするには、身体を深部から温め、血行を良くし、老廃物や毒素を発汗や糞尿により体外に排出させることが肝要である。
【０００３】
このような肩こり、筋肉痛等の治療には、従来から各種の飲み薬、塗り薬、貼り薬、マグネットなどが市販されており、血行促進のために各種天然抽出成分、化学合成成分を含有しているが、発疹、かぶれ等の副作用も報告されている。
【０００４】
一方、最近では自然界から採取される特殊な性質の鉱物質が注目されており、その特性を衣料品に生かした商品開発が進められている。例えば遠赤外線放射鉱質物を下着の伸縮部に取り付けたもの（特許文献１）、レーヨン等の繊維中に遠赤外線放射性微粒子を含有させたもの（特許文献２）、繊維、布地の表面にゲルマニウム超微粒子を真空蒸着、スパッタリングにより付着したもの（特許文献３）などが提案されている。
【０００５】
しかし、遠赤外線放射鉱物質を下着の伸縮部に取り付けるものは、遠赤外線放射効果が部分的であり、下着としての体裁も悪いという問題がある。また、遠赤外線放射性微粒子を繊維中に含有させる方法や、真空蒸着やスパッタリングにより付着する方法では、伸縮性、柔軟性等が劣るため着心地が悪くなり、洗濯等を繰り返すうちに遠赤外線放射性微粒子が剥離、劣化するという問題や、衣料品の所定位置だけに遠赤外線放射性微粒子を付着させることができないという問題がある。
【０００６】
また従来技術として、ジルコニウム、珪素を主成分とするセラミックパウダーを、溶剤に溶かしたポリウレタン系樹脂に混入してプリント原料を作成し、このプリント原料材料を服飾用品に印刷手段でプリントする方法も提案されている（特許文献４）。しかし、前記セラミックパウダーは、放射線量を高くする場合、多量のセラミックパウダーをポリウレタン系樹脂に混入しなければならず、それをプリントした場合、衣料品の柔軟性が低下するという問題がある。また、ここで使用するポリウレタン系樹脂は、それ自体伸縮性を有するものの、繊維、布地類との密着性が劣り、熱転写等の加熱手段が必要である等の問題がある。
【０００７】
【特許文献１】特開平５−１０３８４２号公報
【特許文献２】特開２００２-１６１４２９号公報
【特許文献３】特開２００５−１１３３２７号公報
【特許文献４】特開２００３−２３９１１１号公報
【発明の開示】
【発明が解決しようとする課題】
【０００８】
本発明は、上述した現状を背景に提案されたものであり、遠赤外線放射効果と輻射及び保温効果が優れた遠赤外線放射衣料品を簡単かつ安価に製造する方法を提供することを目的とする。
また本発明は、遠赤外線放射性鉱物微粒子を含んだプリント原料を衣料品に対して簡易にプリントすることができ、密着性も良好で、柔軟性等を損なうことのない、遠赤外線放射衣料品の製造方法を提供することを目的とする。
【課題を解決するための手段】
【０００９】
上記課題を解決する本発明の手段は、遠赤外線放射性鉱物微粒子を含有したプリント部を有する衣料品の製造方法において、ゴム系接着剤に遠赤外線放射性鉱物微粒子と熱輻射性金属粉末を含有させたプリント原料を衣料品にプリント手段によりプリントすることを特徴とする。
また本発明は、遠赤外線放射性鉱物微粒子を含有したプリント部を有する衣料品の製造方法において、ゴム系接着剤に熱輻射性金属粉末を含有させた下地原料を衣料品にプリント手段によりプリントする工程と、
接着剤と遠赤外線放射性鉱物微粒子を含むプリント原料を前記下地原料プリント部の表面にプリント手段によりプリントする工程
を有することを特徴とする。
【００１０】
衣料品とは、身体に付けるものであれば何でもよく、綿、絹、羊毛、混紡、化繊等の下着類、腹巻、靴下、ストッキング、手袋、セーター、運動着などである。またゴム系接着剤は、シリコンゴム系、天然ゴム系、人造ゴム系等の水溶性又は有機溶液性接着剤が使用できる。このゴム系接着剤は遠赤外線放射熱の蓄熱効果がある。
【００１１】
遠赤外線放射性鉱物微粒子は、衣料品の用途に応じてゴム系接着剤の中に０．５％〜６０％混入する。０．５％以下では同鉱物微粒子の遠赤外線放射量が少なく、その効果が期待できないためであり、６０％以上では遠赤外線放射量が多すぎてゴム系接着剤の接着性、流動性等が低下するためである。
【００１２】
また本発明は、前記プリント原料のプリント部の表面に、カーボンを含有させたコーティング原料をプリント手段によりプリントすることを特徴とする。これにより遠赤外線放射能力の効果が向上し、保温効果が高まる。カーボン含有量は、特に限定されないが遠赤外線放射性鉱物微粒子の含有量と同程度でよい。なおカーボンは、このコーティング原料と併用し又は同原料に代えて前記プリント原料又は下地原料に混入してもよい。
【００１３】
また本発明は、前記遠赤外線放射性鉱物微粒子が、シリカ系鉱物質微粒子又は礦石系鉱物質微粒子であることを特徴とする。シリカ系鉱物質微粒子は、ナノクレイ、トルマリン、ブラックシリカ、ソスミック等であり、礦石系鉱物質微粒子は、麦飯石、ゲルマニウム、貴寳石等である。
【００１４】
ナノクレイは、モンモリロナイト、ベントナイト等の鉱物質から組成され、遠赤外線の放射効率を良くするためナノメートル単位に微粉砕（分散化）する。ナノクレイはＳｉＯ2を主成分（６０％以上）としており、そのほかにもＡｌ2Ｏ3、Ｎａ2Ｏ、ＭｇＯ、ＣａＯ、Ｋ2Ｏ、Ｆｅ2Ｏ3等を含んでいる。ナノクレイの遠赤外線放射率は９０％〜９３％である。遠赤外線は、赤外線の一種であり、波長が５ミクロン〜１ｍｍの電磁波である。この遠赤外線が皮膚に吸収され、熱エネルギーに変換されると血管を通っている血液に反応して振動し、血液がサラサラ状態となり、血行が良くなる。
【００１５】
ブラックシリカは、海底の珪藻類が堆積して地表に隆起した天然鉱石であり、ＳｉＯ2を主成分とし、そのほかにもＡｌ2Ｏ3、ＴｉＯ2等を含んでいる。遠赤外線放射率は９５％〜９８％である。
【００１６】
トルマリンは、電気石としても知られており、鉱石そのものがプラスとマイナスの両電極を保持している。トルマリンもＳｉＯ2を主成分とし、そのほかにＡｌ2Ｏ3、Ｆｅ2Ｏ3等を含んでいる。赤外線放射率は９０％〜９３％である。これらブラックシリカ、トルマリンもナノメートル単位に微粉砕して使用する。このような超微粒子鉱物をプリント原料にすると、シルクスクリーン印刷を行ったときにも、きめ細かなプリント仕上げとなる。
【００１７】
前記熱輻射性金属粉末は、遠赤外線放射性鉱物微粒子の遠赤外線放射を反射させ、輻射熱による保温効果を促進するために混入するものである。熱輻射性金属粉末は、鉄粉、銅粉等の金属粉でもよいが、熱伝導性が良好で熱輻射性が高い軽量安価なアルミニウム粉末が好ましい。熱輻射性金属粉末はゴム系接着剤に対して５％〜４０％混入する。５％以下では前述の保温効果が十分でなく、４０％以上になると相対的に遠赤外線放射性鉱物微粒子の含有量が少なくなり、遠赤外線放射量が小さくなると共に、接着性や流動性が低下するためである。
【００１８】
また本発明における前記プリント手段は、シルクスクリーン印刷であることを特徴とする。シルクスクリーン印刷は通常の方法でよく、一般的には、紗とよばれるメッシュのスクリーン上にレジスト（感光膜）を塗布し、その上に各種模様等が刻印された原版を置いて焼き付け、水でレジストを洗い流して、所定の模様等が形成されたスクリーン版を作成する。このスクリーン板を布地の上に置いてプリント原料を塗布すると所定の模様等がプリントされることになる。シルクスクリーン印刷は、版面に柔軟性があるため、布地等へのプリントに適しており、紗の選び方によってプリントの厚さも変えることができる。
【発明を実施するための最良の形態】
【００１９】
以下、本考案の実施態様について説明する。まず、市販されている下着類、腹巻、靴下、ストッキング等の衣料品を裏返しにして、身体に接する裏面側を表面に出し、あらかじめ作成した平面型板（型紙）を衣料品の内側（衣料品の表面側）に挿入し、シルクスクリーン印刷がし易いように衣料品を平坦面にする。
【００２０】
スクリーン版は、衣料品の種類や使用目的等に応じて様々なものが準備されるが、例えば下着類では汗の吸収性をよくするため、プリント原料を点付け印刷するのが良い。このスクリーン版は、直径０．２ｍｍ〜６ｍｍ程度の小孔を、縦横０．４ｍｍ〜１０ｍｍのピッチで開孔したものを作成する。靴下やストッキング類は直径０．２ｍｍ〜２ｍｍの小孔を縦横０．４ｍｍ〜８ｍｍのピッチで開孔したものを作成する。小孔は丸穴、角穴、模様穴等、任意に選択できる。
【００２１】
プリント原料は、前述したゴム系接着剤に遠赤外線放射性鉱物微粒子を０．５％〜６０％、熱輻射性金属粉末を５〜４０％、カーボンを２％〜６０％の範囲内で、プリントする衣料品の用途に応じて互いの配合率を調整して作成する。熱輻射性金属粉末で十分な保温性が得られる場合は、カーボンを入れなくとも良い。
【００２２】
このようなスクリーン版とプリント原料を準備しておき、前記衣料品の平坦面にスクリーン版を置き、プリント原料をその上に塗布して圧力をかけると、スクリーン版の小孔を通って衣料品にプリント原料が印刷される。これを乾燥させて仕上げる。スクリーンの厚さやメッシュは、衣料品の用途に応じて決めるとよく、膜厚は０．０２ｍｍ〜２ｍｍが適当である。下着類と腹巻は０．０５ｍｍ〜０．５ｍｍ、靴下、ストッキング類は０．０２ｍｍ〜１ｍｍが適当である。
【００２３】
前記熱輻射性金属粉末は、最初からプリント原料に混入しても良いが、遠赤外線の放射効率を良くし保温効果を良くするため、熱輻射性金属粉末を含む下地原料をあらかじめアンダーコーティングしておくことができる。即ち、ゴム系接着剤にアルミニウム粉末等の熱輻射性金属粉末を５％〜６０％ほど混練して下地原料を作成し、この下地原料を前記スクリーン版により衣料品にスクリーン印刷し、乾燥させる。
【００２４】
つぎに、この下地原料のプリント部の表面に、ゴム系接着剤と遠赤外線放射性鉱物粒子を混練したプリント原料を、同じスクリーン版を使って衣料品にスクリーン印刷をして乾燥させる。さらに、そのプリント部表面に、同じスクリーン版を使ってゴム系接着剤にカーボン５％〜４０％を混練したコーティング原料をスクリーン印刷し、カバーコーティングして乾燥させる。
【００２５】
このような二層、三層構造にすると、プリント原料に含まれる遠赤外線放射性微粒子の遠赤外線は、下地原料の熱輻射性金属粉末に反射し、その輻射熱が効率よく身体の方向に向けられ、加温効果が増大することになる。
【００２６】
上述した実施形態は、本発明の一例を示したものであり、プリント原料、下地原料には必要に応じて、他の保温材、顔料、香料等を添加しても良い。また、プリントは衣料品の完成品のみならず、衣料品の製造途中でも施すこともできる。さらに前記シルクスクリーン印刷は、衣料品の裏側だけではなく表側にも施すこともできる。